(57)【要約】【課題】使用者がより変化のある新たな模様を楽しむことができる、万華鏡および万華鏡用筒状部材を提供する。【解決手段】万華鏡１は、開口部２２１を備えオブジェクト４が収容された容器２と、ミラーシステム３１、および当該ミラーシステム３１が内蔵される筒体３２を備えた万華鏡用筒状部材３と、を有し、筒体３２を開口部２２１から容器２内に挿入しミラーシステム３１の少なくとも一部が容器２内に存在する位置で筒体３２を容器２に対して固定したものである。【選択図】図１
0003153739.tif 000002
【実用新案登録請求の範囲】
【請求項１】
開口部を備えオブジェクトが収容された容器と、
ミラーシステム、および当該ミラーシステムが内蔵される筒体を備えた万華鏡用筒状部材と、を有し、
前記筒体を前記開口部から前記容器内に挿入し前記ミラーシステムの少なくとも一部が前記容器内に存在する位置で前記筒体を前記容器に対して固定したことを特徴とする万華鏡。
【請求項２】
前記容器の前記開口部の周囲には雄ねじ部が形成されており、
前記万華鏡用筒状部材は、前記筒体の基端が挿入される孔部を有するキャップをさらに備え、
前記キャップの内周面には前記雄ねじ部と係合可能な雌ねじ部が形成されており、
前記キャップの雌ねじ部を前記容器の雄ねじ部に係合させることにより、前記万華鏡用筒状部材を前記容器に対して固定したことを特徴とする請求項１に記載の万華鏡。
【請求項３】
前記筒体は、当該筒体の基端が前記キャップの上面から外方に突出しない位置で前記キャップの孔部に挿入されており、
前記万華鏡用筒状部材は、前記キャップの上面に固着される接眼レンズをさらに備えたことを特徴とする請求項２に記載の万華鏡。
【請求項４】
前記万華鏡用筒状部材は、前記筒体の外周面に固着された詰め部材をさらに備え、
前記開口部の内周面と前記筒体の外周面との間に前記詰め部材を介在させて、摩擦力により前記万華鏡用筒状部材を前記容器に対して固定したことを特徴とする請求項１に記載の万華鏡。
【請求項５】
前記容器には、さらに液体が収容されていることを特徴とする請求項１〜４のいずれか１項に記載の万華鏡。
【請求項６】
前記容器は、飲料用ペットボトルを再利用してなることを特徴とする請求項１〜５のいずれか１項に記載の万華鏡。
【請求項７】
開口部を備えオブジェクトが収容された容器、に装着可能な万華鏡用筒状部材であって、
ミラーシステムと、
当該ミラーシステムが内蔵される筒体と、
前記筒体を前記開口部から前記容器内に挿入し前記ミラーシステムの少なくとも一部が前記容器内に存在する位置で前記筒体を前記容器に対して固定するための固定手段と、
を有することを特徴とする万華鏡用筒状部材。
【請求項８】
前記容器の前記開口部の周囲には雄ねじ部が形成されており、
前記万華鏡用筒状部材は、前記筒体の基端が挿入される孔部を有するキャップをさらに備え、
前記キャップの内周面には前記雄ねじ部と係合可能な雌ねじ部が形成されており、
前記キャップの雌ねじ部を前記容器の雄ねじ部に係合させることにより、前記万華鏡用筒状部材を前記容器に対して固定可能としたことを特徴とする請求項７に記載の万華鏡用筒状部材。
【請求項９】
前記筒体は、当該筒体の基端が前記キャップの上面から外方に突出しない位置で前記キャップの孔部に挿入されており、
前記万華鏡用筒状部材は、前記キャップの上面に固着される接眼レンズをさらに備えたことを特徴とする請求項８に記載の万華鏡用筒状部材。
【請求項１０】
前記万華鏡用筒状部材は、前記筒体の外周面に固着された詰め部材をさらに備え、
前記開口部の内周面と前記筒体の外周面との間に前記詰め部材を介在させて、摩擦力により前記万華鏡用筒状部材を前記容器に対して固定可能としたことを特徴とする請求項７に記載の万華鏡用筒状部材。
【請求項１１】
前記容器には、さらに液体が収容されていることを特徴とする請求項７〜１０のいずれか１項に記載の万華鏡用筒状部材。
【請求項１２】
前記容器は、飲料用ペットボトルを再利用してなることを特徴とする請求項７〜１１のいずれか１項に記載の万華鏡用筒状部材。
【考案の詳細な説明】
【技術分野】
【０００１】
本考案は、万華鏡および万華鏡用筒状部材に関する。
【背景技術】
【０００２】
万華鏡は、一般に、ミラーシステムが内蔵された万華鏡用筒状部材と、万華鏡用筒状部材の先端（前端）に備えられオブジェクトが収容されたオブジェクト収容部材とを有している（特許文献１参照）。
【０００３】
万華鏡を使用する場合、万華鏡用筒状部材の基端（後端）に設けられた接眼部を覗きながら、万華鏡を回転させる。これにより、オブジェクト収容部材は万華鏡用筒状部材とともに回転し、オブジェクト収容部材の内部に収容された多数のオブジェクトは、オブジェクト収容部材内で移動する。その結果、使用者は、光を受けたオブジェクトの模様が刻々と変化する映像を楽しむことができる。
【先行技術文献】
【特許文献】
【０００４】
【特許文献１】実開平５−２９０１８号公報
【考案の概要】
【考案が解決しようとする課題】
【０００５】
しかしながら、特許文献１に記載の万華鏡では、オブジェクト収容部材は万華鏡用筒状部材の先端に設けられており、その容積は比較的小さいため、模様の変化はある程度限られたものになるという問題があった。
【０００６】
本考案は上述した課題に鑑みてなされたものであり、本考案の目的は、使用者がより変化のある新たな模様を楽しむことができる、万華鏡および万華鏡用筒状部材を提供することにある。
【課題を解決するための手段】
【０００７】
本考案の上記目的は、下記の手段によって達成される。
【０００８】
（１）開口部を備えオブジェクトが収容された容器と、ミラーシステム、および当該ミラーシステムが内蔵される筒体を備えた万華鏡用筒状部材と、を有し、前記筒体を前記開口部から前記容器内に挿入し前記ミラーシステムの少なくとも一部が前記容器内に存在する位置で前記筒体を前記容器に対して固定したことを特徴とする万華鏡。
【０００９】
（２）前記容器の前記開口部の周囲には雄ねじ部が形成されており、前記万華鏡用筒状部材は、前記筒体の基端が挿入される孔部を有するキャップをさらに備え、前記キャップの内周面には前記雄ねじ部と係合可能な雌ねじ部が形成されており、前記キャップの雌ねじ部を前記容器の雄ねじ部に係合させることにより、前記万華鏡用筒状部材を前記容器に対して固定したことを特徴とする上記（１）に記載の万華鏡。
【００１０】
（３）前記筒体は、当該筒体の基端が前記キャップの上面から外方に突出しない位置で前記キャップの孔部に挿入されており、前記万華鏡用筒状部材は、前記キャップの上面に固着される接眼レンズをさらに備えたことを特徴とする上記（２）に記載の万華鏡。
【００１１】
（４）前記万華鏡用筒状部材は、前記筒体の外周面に固着された詰め部材をさらに備え、前記開口部の内周面と前記筒体の外周面との間に前記詰め部材を介在させて、摩擦力により前記万華鏡用筒状部材を前記容器に対して固定したことを特徴とする上記（１）に記載の万華鏡。
【００１２】
（５）前記容器には、さらに液体が収容されていることを特徴とする上記（１）〜（４）のいずれか１項に記載の万華鏡。
【００１３】
（６）前記容器は、飲料用ペットボトルを再利用してなることを特徴とする上記（１）〜（５）のいずれか１項に記載の万華鏡。
【００１４】
（７）開口部を備えオブジェクトが収容された容器、に装着可能な万華鏡用筒状部材であって、ミラーシステムと、当該ミラーシステムが内蔵される筒体と、前記筒体を前記開口部から前記容器内に挿入し前記ミラーシステムの少なくとも一部が前記容器内に存在する位置で前記筒体を前記容器に対して固定するための固定手段と、を有することを特徴とする万華鏡用筒状部材。
【００１５】
（８）前記容器の前記開口部の周囲には雄ねじ部が形成されており、前記万華鏡用筒状部材は、前記筒体の基端が挿入される孔部を有するキャップをさらに備え、前記キャップの内周面には前記雄ねじ部と係合可能な雌ねじ部が形成されており、前記キャップの雌ねじ部を前記容器の雄ねじ部に係合させることにより、前記万華鏡用筒状部材を前記容器に対して固定可能としたことを特徴とする上記（７）に記載の万華鏡用筒状部材。
【００１６】
（９）前記筒体は、当該筒体の基端が前記キャップの上面から外方に突出しない位置で前記キャップの孔部に挿入されており、前記万華鏡用筒状部材は、前記キャップの上面に固着される接眼レンズをさらに備えたことを特徴とする上記（８）に記載の万華鏡用筒状部材。
【００１７】
（１０）前記万華鏡用筒状部材は、前記筒体の外周面に固着された詰め部材をさらに備え、前記開口部の内周面と前記筒体の外周面との間に前記詰め部材を介在させて、摩擦力により前記万華鏡用筒状部材を前記容器に対して固定可能としたことを特徴とする上記（７）に記載の万華鏡用筒状部材。
【００１８】
（１１）前記容器には、さらに液体が収容されていることを特徴とする上記（７）〜（１０）のいずれか１項に記載の万華鏡用筒状部材。
【００１９】
（１２）前記容器は、飲料用ペットボトルを再利用してなることを特徴とする上記（７）〜（１１）のいずれか１項に記載の万華鏡用筒状部材。
【考案の効果】
【００２０】
本考案によれば、ミラーシステムの少なくとも一部は、オブジェクトが収容された容器の内部に存在するため、オブジェクトは、容器内部の範囲内で、筒体に内蔵されたミラーシステムの側面側と、先端側（前端側）との間を自在に移動可能となる。したがって、使用者は、万華鏡の容器を上下に振ったり、回したりすることにより、光を受けた広範囲に移動するオブジェクトのより変化のある新たな模様を楽しむことができる。
【００２１】
また、本考案の万華鏡は、飲料用ペットボトルを再利用して、簡単に製造することができる利点がある。
【図面の簡単な説明】
【００２２】
【図１】本考案の第１の実施形態にかかる万華鏡の全体構成を示す断面図である。
【図２】万華鏡用筒状部材の分解組立図である。
【図３】キャップの平面図である。
【図４】接眼レンズを窓枠とともに示す平面図である。
【図５】ミラーシステムの斜視図である。
【図６】ミラーシステムの製造方法を示す図である。
【図７】本考案の第２の実施形態にかかる万華鏡の万華鏡用筒状部材を示す断面図である。
【考案を実施するための形態】
【００２３】
以下、本考案の実施の形態を、図面を参照して詳細に説明する。
【００２４】
図１は、本考案の第１の実施形態にかかる万華鏡の全体構成を示す断面図である。図１に示すように、万華鏡１は、容器２と、万華鏡用筒状部材３とを有している。
【００２５】
容器２は、オブジェクト４が収容されるボトル部２１と、開口部２２１が形成されたボトル口部２２とから構成されている。本実施形態では、容器２は、飲料用ペット（ＰＥＴ）ボトルを再利用してなるものである。
【００２６】
容器２の開口部２２１の周囲、すなわちボトル口部２２の外周面には雄ねじ部２２２が形成されている。
【００２７】
容器２のボトル部２１には、オブジェクト４とともに、水、油等の液体５が適宜の量だけ注入される。オブジェクト４としては、紙、ガラス、金属、合成樹脂等の小片、より具体的には、ビーズやアルミホイールの細片等が使用される。小片の形状は、板体（シート）、球体、棒状体等の任意の形状があり得る。
【００２８】
ボトル部２１は、少なくとも底面が透明であることが好ましいが、光の一部または全部を透過可能であればよい。また、ボトル部２１の底面には、放射状のリブ部２１１が複数形成されていることが好ましい。リブ部２１１は、交互に形成された凸部および凹部（デコボコ）から構成される。
【００２９】
万華鏡用筒状部材３は、ミラーシステム３１と、当該ミラーシステム３１が内蔵される筒体３２とを備えている。
【００３０】
図２は、万華鏡用筒状部材３の分解組立図である。
【００３１】
図２に示すように、筒体３２の先端（前端）３２１には、円盤状の蓋体３５が接着剤等により固着され、液密性が確保されている。筒体３２には、例えばアクリル樹脂等の好ましくは透明のプラスチックパイプが使用される。また、筒体３２は、例えば外径１８ｍｍ、肉厚２ｍｍ、長さ８０ｍｍであるが、適宜変更され得る。蓋体３５は、例えばアクリル樹脂等の透明のプラスチック板により形成される。また、蓋体３５は、例えば外径１７ｍｍ、厚さ１ｍｍであるが、適宜変更され得る。
【００３２】
万華鏡用筒状部材３は、筒体３２の基端（後端）３２２が挿入される孔部３３１（図３参照）を有するキャップ３３をさらに備えている。
【００３３】
図３は、キャップ３３の平面図である。本実施形態では、キャップ３３は、飲料用ペット（ＰＥＴ）ボトルのキャップを再利用してなるものである。
【００３４】
キャップ３３の内周面には、容器２の雄ねじ部２２２と係合可能な雌ねじ部３３２が形成されている（図１参照）。したがって、キャップ３３の雌ねじ部３３２を容器２の雄ねじ部２２２に係合させることにより、万華鏡用筒状部材３を容器２に対して固定することが可能となっている。
【００３５】
筒体３２は、当該筒体３２の基端３２２がキャップ３３の上面から外方に突出しない位置でキャップ３３の孔部３３１に挿入されている。また、万華鏡用筒状部材３は、キャップ３３の上面に固着される接眼レンズ３４をさらに備えている。
【００３６】
本実施形態では、接眼レンズ３４は、接着剤により、キャップ３３の上面および筒体３２の基端３２２に固着される。この接眼レンズ３４の接着は、筒体３２の基端３２２における液密性をも発揮し得る。接眼レンズ３４は、例えばプラスチックレンズである。また、接眼レンズ３４は、例えば外径２６ｍｍ、焦点距離８０ｍｍであるが、筒体３２のサイズに応じて適宜変更され得る。なお、接眼レンズ３４は、例えば簡易双眼鏡の接眼レンズを流用して安価に用意することができる。
【００３７】
図４に示すように、接眼レンズ３４の上面には、リング状の窓枠３４１が貼着される。この窓枠３４１は、紙やフィルム等のシート材料から形成される。窓枠３４１の中央穴は、覗き穴として機能する。
【００３８】
図５は、ミラーシステム３１の斜視図である。
【００３９】
本実施形態では、ミラーシステム３１は、３枚の帯板状のミラー３１１を三角筒形状に組み合わせて、セロハンテープ、アルミテープ等の粘着テープ３１２で結合してなるスリーミラーシステムである。
【００４０】
なお、ミラーシステム３１の形態は任意のものが使用可能である。例えば２枚の帯板状のミラーと１枚の光吸収板とを三角筒形状に組み合わせたものであってもよい。また、本実施形態では、ミラーシステム３１の横断面は正三角形であるが、二等辺三角形等の他の三角形でもよく、さらには四角形、円形等の他の形状であってもよい。また、ミラー３１１の側面に貫通孔を形成することにより、映像に趣向を凝らすこともできる。
【００４１】
図６は、ミラーシステム３１の製造方法を示す図である。図６に示すように、３枚の帯板状のミラー３１１（例えば１０．８ｍｍ×７８ｍｍ、厚さ１ｍｍ）を、適宜の間隔（例えば１．５ｍｍ）を空けて、例えば３本の粘着テープ３１２上に並べる。そして、ミラー３１１上の図示しない保護シートをはがし、鏡面を内側にして三角筒形状を形成した後、粘着テープ３１２を三角筒形状のミラー３１１の周囲に貼り付けて結合する。これにより、ミラーシステム３１が完成する。
【００４２】
万華鏡用筒状部材３は、例えば次のような工程で製造される。
【００４３】
まず、キャップ３３として利用するために、使用後の飲料用ペットボトルのキャップ（例えば外径３０ｍｍ）を用意する。そして、キャップの中央を貫通する孔部３３１（例えば内径１８ｍｍ）を、ドリル加工等によって形成する。次いで、筒体３２の先端３２１に、蓋体３５を接着剤により固着する。続いて、筒体３２の内部にミラーシステム３１を配置する。そして、ミラーシステム３１を内蔵した筒体３２を、キャップ３３の孔部３３１に挿入して、当該筒体３２の基端３２２がキャップ３３の上面から外方に突出しない位置に保持する。続いて、接眼レンズ３４を、接着剤により、キャップ３３の上面および筒体３２の基端３２２に固着させる。また、接眼レンズ３４の上面に窓枠３４１を貼着する。これにより、万華鏡用筒状部材３が完成する。
【００４４】
最後に、万華鏡１は、例えば次のような工程で製造される。
【００４５】
まず、容器２として利用するために、使用後の飲料用ペットボトルを用意する。ここで、飲料用ペットボトルの外周面に貼られたラベルを剥がすのが、光の取り入れや美麗さの観点から好ましい。次いで、容器２の開口部２２１から、多数のオブジェクト４と、液体５とを注入する。そして、容器２の開口部２２１から万華鏡用筒状部材３の筒体を挿入し、万華鏡用筒状部材３のキャップ３３の雌ねじ部３３２を容器２の雄ねじ部２２２に締め込むことにより、万華鏡用筒状部材３を容器２に対して固定する。これにより、万華鏡１が完成する。
【００４６】
このように本実施形態の万華鏡１は、開口部２２１を備えオブジェクト４が収容された容器２と、ミラーシステム３１、および当該ミラーシステム３１が内蔵される筒体３２を備えた万華鏡用筒状部材３と、を有し、筒体３２を開口部２２１から容器２内に挿入し、ミラーシステム３１が容器２内に存在する位置で筒体３２を容器２に対して固定したものである。
【００４７】
本実施形態によれば、ミラーシステム３１は、オブジェクト４が収容された容器２の内部に存在するため、オブジェクト４は、容器２内部の範囲内で、筒体３２に内蔵されたミラーシステム３１の側面側と、先端側（前端側）との間を自在に移動可能となる。したがって、使用者は、万華鏡１の容器２を上下に振ったり、回したりすることにより、光を受けた広範囲に移動するオブジェクトのより変化のある新たな模様を楽しむことができる。
【００４８】
また、容器２のボトル部２１の底面には放射状のリブ部２１１が複数形成されており、外部からの光は、デコボコ形状のリブ部２１１を通過して容器２内に入る際に乱反射して入ってくるため、さらに変化のある新たな模様を楽しむことができる。
【００４９】
また、本実施形態の万華鏡１は、飲料用ペットボトルを再利用して、簡単に製造することができる利点がある。
【００５０】
また、本実施形態の万華鏡１の万華鏡用筒状部材３は、簡単に、１つの容器２から取り外して、他の容器に取り付けて固定することができる。このため、１つの万華鏡用筒状部材３を複数のオブジェクト４が収容された容器２に順次取り付けて、さらに新たな模様を楽しむことができる。換言すれば、複数の使用者が製造した万華鏡１のオブジェクト４が収容された容器２を交換し合うことができ、楽しみ方がさらに広がる。この意味において、万華鏡用筒状部材３単独として実施しても十分に効果を発揮するものとなる。
【００５１】
図７は、本考案の第２の実施形態にかかる万華鏡の万華鏡用筒状部材３ａを示す断面図である。万華鏡用筒状部材３ａ以外の構成は第１の実施形態にかかる万華鏡１と同様であるため、その説明を省略する。
【００５２】
図７に示すように、万華鏡用筒状部材３ａは、ミラーシステム３１ａと、当該ミラーシステム３１ａが内蔵される筒体３２ａとを備えている。筒体３２ａの先端（前端）３２１ａには、円盤状の蓋体３５ａが接着剤等により固着され、液密性が確保されている。ミラーシステム３１ａ、筒体３２ａ、および蓋体３５ａは、寸法が第１の実施形態よりも若干大きくなるだけで、同様の形状および機能を有するものである。
【００５３】
本実施形態では、筒体３２ａの内部にミラーシステム３１ａを配置した後、接眼レンズ３４ａが、筒体３２ａの内部におけるミラーシステム３１ａの基端側に配置され、圧入あるいは接着等によって固着される。
【００５４】
また、本実施形態の万華鏡用筒状部材３ａは、筒体３２ａの外周面に固着された詰め部材３６を備えている。そして、容器２の開口部２２１の内周面と筒体３２ａの外周面との間に詰め部材３６を介在させて、摩擦力により万華鏡用筒状部材３ａを容器２に対して固定可能とされている。詰め部材としては、例えばビニールテープ等のテープ類、Ｏリング等のゴム部材等が使用され得る。
【００５５】
本実施形態の万華鏡１を製造する場合、容器２の開口部２２１から、多数のオブジェクト４と、液体５とを注入する。そして、容器２の開口部２２１から万華鏡用筒状部材３ａの筒体３２ａを挿入し、詰め部材３６による摩擦力により、万華鏡用筒状部材３ａを容器２に対して固定する。これにより、万華鏡１が完成する。
【００５６】
なお、図７中の符号「３７」は、容器２の開口部２２１に軽圧入した万華鏡用筒状部材３ａを、容器２から引抜いて離脱させる場合に、図示しない鉤状部材を引っ掛けて係合させるための貫通孔を示す。
【００５７】
このような第２の実施形態によっても、第１の実施形態と同様な効果を奏することが可能である。
【００５８】
本考案は、上記した実施形態のみに限定されるものではなく、実用新案登録請求の範囲内において、種々改変することができる。
【００５９】
例えば、上記実施形態では、ミラーシステム全体が容器内に存在する位置で、筒体が容器に対して固定されているが、本考案はこれに必ずしも限定されるものではなく、ミラーシステムの少なくとも一部が容器内に存在する位置で、筒体が容器に対して固定されていてもよく、同様な効果を奏することが可能である。
【００６０】
また、上記実施形態では、接眼レンズが使用されているが、本考案はこれに必ずしも限定されるものではない。通常人間の目で自然に焦点が合う距離は３０ｃｍ前後であり、万華鏡の筒体の長さが３０ｃｍ前後である場合には、接眼レンズは不要であることは言うまでも無い。
【００６１】
また、上記実施形態では、容器２として、飲料用ペットボトルが再利用されているが、本考案はこれに必ずしも限定されるものではない。本考案は、他の容器が再利用される場合、あるいは専用の容器を用いる場合にも適用可能である。
【００６２】
また、上記実施形態では、容器２に液体５が注入されており、液体５の抵抗によりオブジェクトがゆっくりと動くので、オブジェクトによる模様の変化をじっくりと楽しむことができる利点があるが、本考案はこれに必ずしも限定されるものではなく、液体５を注入しない場合にも適用され得る。
【符号の説明】
【００６３】
１  万華鏡、
２  容器、
２１  ボトル部、
２２  ボトル口部、
２２１  開口部、
２２２  雄ねじ部、
３，３ａ  万華鏡用筒状部材、
３１，３１ａ  ミラーシステム、
３１１  ミラー、
３２，３２ａ  筒体、
３２２  筒体の基端、
３３  キャップ、
３３１  孔部、
３３２  雌ねじ部、
３４，３４ａ  接眼レンズ、
３４１  窓枠、
３５，３５ａ  蓋体、
３６  詰め部材、
４  オブジェクト、
５  液体。
【図１】
0003153739.tif 000003
【図２】
0003153739.tif 000004
【図３】
0003153739.tif 000005
【図４】
0003153739.tif 000006
【図５】
0003153739.tif 000007
【図６】
0003153739.tif 000008
【図７】
0003153739.tif 000009